(57)【要約】【課題】コストアップを抑えつつ光変調装置１２の焼き付きを解消できるようにする。【解決手段】プロジェクター１は、光源１１、光変調装置１２、及び投射レンズ１３１Ａを有し、光源１１から射出された光を光変調装置１２により変調し、変調した光を投射レンズ１３１Ａを通じて、スクリーンＳＣに投射画像を投射する投射部１０と、投射画像の投射位置を変える投射光学系駆動部１３２と、縮小入力画像を、光変調装置１２に表示させる投射制御部３０１と、投射制御部３０１が光変調装置１２の表示領域１２１ａにおいて縮小入力画像の表示位置を中心表示位置からずらし表示位置に変える際、中心表示位置に縮小入力画像を表示したときの投射画像の投射位置と、ずらし表示位置に縮小入力画像を表示したときの投射画像の投射位置とが同じになるように投射光学系駆動部１３２を制御するシフト制御部３０３と、を備える。【選択図】図１
2020020917.tif 000002
【特許請求の範囲】
【請求項１】
光源、電気光学装置、及び投射レンズを有し、前記光源から射出された光を前記電気光学装置により変調し、変調した光を前記投射レンズを通じて投射することで、投射面に投射画像を投射する投射部と、
前記投射レンズをシフトさせて前記投射画像の投射位置を変える投射位置調整部と、
前記電気光学装置に表示される第１の画像を縮小した第２の画像を、前記電気光学装置に表示させる表示制御部と、
前記表示制御部が前記電気光学装置の表示領域において前記第２の画像の表示位置を第１の位置から第２の位置に変える際、前記第１の位置に前記第２の画像を表示したときの前記投射画像の投射位置と、前記第２の位置に前記第２の画像を表示したときの前記投射画像の投射位置とが同じになるように前記投射位置調整部を制御する位置制御部と、を備える、
プロジェクター。
【請求項２】
前記表示制御部は、
前記投射位置調整部による前記投射レンズのシフトに同期させて、前記第２の画像の表示位置を前記第１の位置から前記第２の位置に変える、
請求項１に記載のプロジェクター。
【請求項３】
前記電気光学装置が前記第２の画像を表示したときの前記投射画像のサイズと、前記電気光学装置が前記第１の画像を表示したときの前記投射画像のサイズとが同じサイズになるように、前記投射レンズに前記投射画像を拡大させるサイズ制御部を、備える、
請求項１又は２に記載のプロジェクター。
【請求項４】
前記表示制御部は、
サイズ制御部による前記投射画像の拡大に同期させて、前記第１の画像を縮小する、
請求項３に記載のプロジェクター。
【請求項５】
前記表示制御部は、
前記第１の画像を表示する第１の表示と、前記第２の画像を表示する第２の表示とを交互に前記電気光学装置に実行させる、
請求項１から４のいずれか一項に記載のプロジェクター。
【請求項６】
前記表示制御部は、
前記第２の表示を実行する度に、前記第２の位置を異ならせる、
請求項５に記載のプロジェクター。
【請求項７】
前記表示制御部は、
所定時間、前記第１の表示を実行した場合に、前記電気光学装置に前記第２の表示を実行させる、
請求項５又は６に記載のプロジェクター。
【請求項８】
表示制御部は、
前記投射部が所定時間以上同じ前記投射画像を投射した場合に、前記第２の表示を前記電気光学装置に実行させる、
請求項５又は６に記載のプロジェクター。
【請求項９】
前記投射レンズのシフトに応じて、前記投射画像の台形歪み補正に係るパラメーターを算出する算出部を備える、
請求項１から８のいずれか一項に記載のプロジェクター。
【請求項１０】
光源、電気光学装置、及び投射レンズを有し、前記光源から射出された光を前記電気光学装置により変調し、変調した光を前記投射レンズを通じて投射することで、投射面に投射画像を投射する投射部と、前記投射レンズをシフトさせて前記投射画像の投射位置を変える投射位置調整部と、を備えるプロジェクターの制御方法であって、
前記電気光学装置に表示される第１の画像を縮小した第２の画像を、前記電気光学装置に表示させ、
前記電気光学装置の表示領域において前記第２の画像の表示位置を第１の位置から第２の位置に変えた際、前記第１の位置に前記第２の画像を表示したときの前記投射画像の投射位置と、前記第２の位置に前記第２の画像を表示したときの前記投射画像の投射位置とが同じになるように前記投射位置調整部を制御する、
プロジェクターの制御方法。
【発明の詳細な説明】
【技術分野】
【０００１】
本発明は、プロジェクター、及び、プロジェクターの制御方法に関する。
【背景技術】
【０００２】
従来、画像を表示する装置に生じる焼き付きを解消する技術が知られている（例えば、特許文献１参照）。特許文献１は、液晶パネルの表示エリアに表示している画像を非表示エリアにシフトさせ、光学系のレンズシフト機能によって画像のシフト方向と逆方向に投射画像の投射位置を移動させることで、投射位置のずれを防止しつつ液晶パネルの焼き付きを解消する技術を開示する。
【先行技術文献】
【特許文献】
【０００３】
【特許文献１】特開２０１７−５３９５３号公報
【発明の概要】
【発明が解決しようとする課題】
【０００４】
しかしながら、特許文献１は、非表示エリアを確保するために表示領域が広い液晶パネルを具備する必要があるためコストアップを招いてしまう。
本発明は、コストアップを抑えつつ表示装置の焼き付きを解消できるようにすることを目的とする。
【課題を解決するための手段】
【０００５】
上記目的を達成するために、本発明のプロジェクターは、光源、電気光学装置、及び投射レンズを有し、前記光源から射出された光を前記電気光学装置により変調し、変調した光を前記投射レンズを通じて投射することで、投射面に投射画像を投射する投射部と、前記投射レンズをシフトさせて前記投射画像の投射位置を変える投射位置調整部と、前記電気光学装置に表示される第１の画像を縮小した第２の画像を、前記電気光学装置に表示させる表示制御部と、前記表示制御部が前記電気光学装置の表示領域において前記第２の画像の表示位置を第１の位置から第２の位置に変える際、前記第１の位置に前記第２の画像を表示したときの前記投射画像の投射位置と、前記第２の位置に前記第２の画像を表示したときの前記投射画像の投射位置とが同じになるように前記投射位置調整部を制御する位置制御部と、を備える。
【０００６】
また、本発明は、前記表示制御部は、前記投射位置調整部による前記投射レンズのシフトに同期させて、前記第２の画像の表示位置を前記第１の位置から前記第２の位置に変える構成としてもよい。
【０００７】
また、本発明は、前記電気光学装置が前記第２の画像を表示したときの前記投射画像のサイズと、前記電気光学装置が前記第１の画像を表示したときの前記投射画像のサイズとが同じサイズになるように、前記投射レンズに前記投射画像を拡大させるサイズ制御部を、備える構成としてもよい。
【０００８】
また、本発明は、前記表示制御部は、前記サイズ制御部による前記投射画像の拡大に同期させて、前記第１の画像を縮小する構成としてもよい。
【０００９】
また、本発明は、前記表示制御部は、前記第１の画像を表示する第１の表示と、前記第２の画像を表示する第２の表示とを交互に前記電気光学装置に実行させる構成としてもよい。
【００１０】
また、本発明は、前記表示制御部は、前記第２の表示を実行する度に、前記第２の位置を異ならせる構成としてもよい。
【００１１】
また、本発明は、前記表示制御部は、所定時間、前記第１の表示を実行した場合に、前記電気光学装置に前記第２の表示を実行させる構成としてもよい。
【００１２】
また、本発明は、表示制御部は、前記投射部が所定時間以上同じ前記投射画像を投射した場合に、前記第２の表示を前記電気光学装置に実行させる構成としてもよい。
【００１３】
また、本発明は、前記投射レンズのシフトに応じて、前記投射画像の台形歪み補正に係るパラメーターを算出する算出部を備える構成としてもよい。
【００１４】
また、上記目的を達成するために、光源、電気光学装置、及び投射レンズを有し、前記光源から射出された光を前記電気光学装置により変調し、変調した光を前記投射レンズを通じて投射することで、投射面に投射画像を投射する投射部と、前記投射レンズをシフトさせて前記投射画像の投射位置を変える投射位置調整部と、を備えるプロジェクターの制御方法であって、前記電気光学装置に表示される第１の画像を縮小した第２の画像を、前記電気光学装置に表示させ、前記電気光学装置の表示領域において前記第２の画像の表示位置を第１の位置から第２の位置に変えた際、前記第１の位置に前記第２の画像を表示したときの前記投射画像の投射位置と、前記第２の位置に前記第２の画像を表示したときの前記投射画像の投射位置とが同じになるように前記投射位置調整部を制御する。
【図面の簡単な説明】
【００１５】
【図１】プロジェクターの構成を示すブロック図。
【図２】プロジェクターの動作を示すフローチャート。
【図３】プロジェクターの動作を示すフローチャート。
【図４】縮小入力画像を説明するための図。
【図５】縮小入力画像のずらしを説明するための図。
【図６】投射画像の投射位置の一例を示す図。
【図７】縮小入力画像の表示位置の一例を示す図。
【図８】変形例に係るプロジェクターの構成を示すブロック図。
【図９】プロジェクターの動作を示すフローチャート。
【発明を実施するための形態】
【００１６】
図１は、プロジェクター１の構成を示すブロック図である。
プロジェクター１には、外部装置として画像供給装置２が接続される。画像供給装置２は、プロジェクター１に画像データを出力する。プロジェクター１は、画像供給装置２から入力される画像データに基づき、スクリーンＳＣに投射画像ＴＧを投射する。スクリーンＳＣは、本発明の投射面に相当する。
【００１７】
画像供給装置２から入力される画像データは、所定規格に準拠した画像データである。画像データは、静止画像データでも動画像データでもよく、音声データを伴ってもよい。
【００１８】
画像供給装置２は、プロジェクター１に画像データを出力する、いわゆる画像ソースである。画像供給装置２の具体的な構成は制限されず、プロジェクター１に接続可能であって、プロジェクター１に画像データを出力できる機器であればよい。例えば、ディスク型記録メディア再生装置、テレビチューナー装置、パーソナルコンピューターを用いてもよい。
【００１９】
スクリーンＳＣは、幕状のスクリーンであってもよいし、建造物の壁面や設置物の平面をスクリーンＳＣとして利用してもよい。スクリーンＳＣは平面に限らず、曲面や、凹凸を有する面であってもよい。
【００２０】
プロジェクター１は、プロジェクター１の各部を制御する制御部３と、投射画像ＴＧを投射する投射部１０とを備える。制御部３は、ＣＰＵ３０、及び、記憶部３１等により構成される。記憶部３１は、ＣＰＵ３０が実行する制御プログラム３１１やデータを不揮発的に記憶する記憶装置であり、フラッシュＲＯＭ等の半導体記憶素子等で構成される。記憶部３１は、ＣＰＵ３０のワークエリアを構成するＲＡＭを含んでもよい。
【００２１】
ＣＰＵ３０は、記憶部３１に記憶されたプロジェクター１の制御プログラム３１１を実行することによって、投射制御部３０１、処理部３０２、シフト制御部３０３、及び、ズーム制御部３０４として機能する。投射制御部３０１は、本発明の表示制御部に相当する。シフト制御部は、本発明の位置制御部に相当する。また、ズーム制御部は、本発明のサイズ制御部に相当する。これらの機能ブロックは、ＣＰＵ３０が、制御プログラム３１１を実行することにより、ソフトウェアとハードウェアの協働により実現される。
【００２２】
記憶部３１は、制御プログラム３１１のほか、設定データ３１２を記憶する。設定データ３１２は、プロジェクター１の動作に関する設定値を含む。設定データ３１２に含まれる設定値は、例えば、画像処理部２５が実行する処理内容、画像処理部２５の処理に用いるパラメーター等である。記憶部３１は、その他のプログラムやデータを記憶してもよい。
【００２３】
投射部１０は、光源１１、光変調装置１２、及び、投射光学部１３を備える。光変調装置１２は、本発明の電気光学装置に相当する。
【００２４】
光源１１は、ハロゲンランプ、キセノンランプ、超高圧水銀ランプ等のランプ、或いは、ＬＥＤやレーザー光源等の固体光源で構成される。光源１１は、光源駆動部２１から供給される電力により点灯し、光変調装置１２に向けて光を発する。
【００２５】
光源駆動部２１は、制御部３の制御に従って光源１１に駆動電流やパルスを供給し、光源１１を発光させる。
【００２６】
光変調装置１２は、ＲＧＢの三原色に対応した３枚の液晶パネル１２１を備える。光源１１が発した光は、ダイクロイックミラーや、反射ミラー、リレーレンズ等によってＲＧＢの３色の色光に分離され、対応する色の液晶パネル１２１に入射される。各液晶パネル１２１は、一対の透明基板間に液晶が封入された構成を有する。各液晶パネル１２１は、複数の画素がマトリックス状に配列された矩形状の画素領域を有しており、液晶に対して画素毎に光変調装置駆動部２２によって駆動電圧が印加される。
【００２７】
光変調装置駆動部２２は、後述する画像処理部２５からＲ、Ｇ、Ｂの３原色に分離された画像データが入力される。光変調装置駆動部２２は、入力される各色の画像データを、対応する液晶パネル１２１の動作に適したデータ信号に変換する。光変調装置駆動部２２は、変換したデータ信号に対応した駆動電圧を液晶パネル１２１の各画素に印加して、各液晶パネル１２１にフレーム単位で画像を描画する。これにより、光源１１から射出される光が光変調装置１２により画像光に変調される。
【００２８】
投射光学部１３は、光変調装置１２で変調された光をスクリーンＳＣ上に結像させ、投射画像ＴＧを投射する。投射光学部１３は、投射光学系１３１と、投射光学系駆動部１３２とを備える。投射光学系駆動部１３２は、本発明の投射位置調整部に相当する。
【００２９】
投射光学系１３１は、光変調装置１２により変調された画像光を拡大投射する投射レンズ１３１Ａを備える。投射レンズ１３１Ａは、光変調装置１２により変調された画像光を所望の倍率でスクリーンＳＣに投射するズームレンズである。投射レンズ１３１Ａは、複数のレンズを含むレンズ群により構成される。
【００３０】
投射光学系駆動部１３２は、バス２６に接続する。投射光学系駆動部１３２は、図示せぬステッピングモーターやギア等により構成され、制御部３の制御に従って、投射レンズ１３１Ａのレンズ位置を調整する。投射光学系駆動部１３２は、投射レンズ１３１Ａの光軸に直交する面内で投射レンズ１３１Ａを移動させ、スクリーンＳＣに投射される投射画像ＴＧを上下左右方向に移動させるレンズシフト調整を行う。また、投射光学系駆動部１３２は、投射レンズ１３１Ａの各レンズの位置調整を行うことで、スクリーンＳＣに投射された投射画像ＴＧを拡大又は縮小するズーム調整を行う。
【００３１】
プロジェクター１は、インターフェース２３、フレームメモリー２４、画像処理部２５、操作部５１、及び、無線通信部５２を備える。これらの各部は、バス２６を介して制御部３とデータ通信可能に接続される。
【００３２】
インターフェース２３は、データ通信用の有線インターフェースであり、所定の通信規格に準拠したコネクター及びインターフェース回路等を備える。図１では、コネクター及びインターフェース回路についての図示を省略している。インターフェース２３は、ケーブルを介して画像供給装置２に接続され、制御部３の制御に従って、外部の装置との間で画像データや制御データ等を送受信する。インターフェース２３には、各種の通信インターフェースや画像入力用のインターフェースを採用することができる。
【００３３】
フレームメモリー２４は、複数のバンクを備える。各バンクは、画像データの１フレームを書き込み可能な記憶容量を有する。フレームメモリー２４は、例えば、ＳＤＲＡＭにより構成される。なお、ＳＤＲＡＭは、Ｓｙｎｃｈｒｏｎｏｕｓ  Ｄｙｎａｍｉｃ  Ｒａｎｄｏｍ  Ａｃｃｅｓｓ  Ｍｅｍｏｒｙの略である。
【００３４】
画像処理部２５は、フレームメモリー２４に展開された画像データに対して、例えば、解像度変換処理又はリサイズ処理、歪曲収差の補正、形状補正処理、デジタルズーム処理、画像の色合いや輝度の調整等の画像処理を行う。画像処理部２５は、制御部３により指定された処理を実行し、必要に応じて、制御部３から入力されるパラメーターを使用して処理を行う。また、画像処理部２５は、上記のうち複数の画像処理を組み合わせて実行することも勿論可能である。
画像処理部２５は、処理の終了した画像データをフレームメモリー２４から読み出して光変調装置駆動部２２に出力する。
【００３５】
操作部５１は、操作パネル５１１、リモコン受光部５１２、及び入力処理部５１３を備える。
【００３６】
操作パネル５１１は、プロジェクター１の筐体に設けられ、ユーザーが操作可能な各種スイッチを備える。入力処理部５１３は、操作パネル５１１の各スイッチの操作を検出する。
リモコン受光部５１２は、リモコン５０が送信する赤外線信号を受光する。入力処理部５１３は、リモコン受光部５１２が受光した信号をデコードして、操作データを生成し、制御部３に出力する。
入力処理部５１３は、操作パネル５１１、及びリモコン受光部５１２に接続される。入力処理部５１３は、操作パネル５１１またはリモコン受光部５１２でユーザーの操作を受け付けた場合に、受け付けた操作に対応する操作データを生成して制御部３に出力する。
【００３７】
無線通信部５２は、図示せぬアンテナやＲＦ回路等を備え、制御部３の制御に従って外部装置との間で無線データ通信を実行する。無線通信部５２は、例えば、無線ＬＡＮ、Ｂｌｕｅｔｏｏｔｈ等の無線通信を実行する。Ｂｌｕｅｔｏｏｔｈは、登録商標である。
【００３８】
次に、ＣＰＵ３０の機能ブロックについて説明する。
投射制御部３０１は、光源駆動部２１、及び光変調装置駆動部２２を制御して、光源１１を点灯させ、光変調装置駆動部２２により光変調装置１２を駆動させ、投射部１０により投射画像ＴＧを投射させる。また、投射制御部３０１は、画像処理部２５を制御して、インターフェース２３に入力される画像データに対する画像処理を実行させ、光変調装置駆動部２２に画像処理後の画像データを出力させる。これにより、投射制御部３０１は、光変調装置１２の液晶パネル１２１に画像を表示させる。
【００３９】
処理部３０２は、各液晶パネル１２１の焼き付きを解消する処理を実行する。以下の説明では、液晶パネル１２１の焼き付きを解消する処理を、焼き付き解消処理という。焼き付き解消処理については、後述する。
液晶パネル１２１の焼き付きは、液晶内の液晶分子が部分的に偏在したり、液晶分子の移動によって液晶内のイオン不純物が部分的に偏在したりすることで生じる残像現象であり、液晶パネル１２１の画素ごとに生じる。液晶パネル１２１の焼き付きは、長時間同じ投射画像ＴＧを投射した場合に生じ易く、投射時間が長ければ長いほど偏在度合が高まって顕著に生じる。液晶パネル１２１に焼き付きが生じると、焼き付きが生じている箇所では印加された駆動電圧に対応する変調とならず、投射画像ＴＧには、焼き付きが生じている箇所に対応した箇所にむらが生じることとなる。処理部３０２は、焼き付き解消処理を実行することで、液晶分子やイオン不純物の部分的な偏在を解消して液晶パネル１２１の焼き付きを解消する。
なお、以下の説明では、液晶パネル１２１に発生する焼き付きを、光変調装置１２の焼き付きという。
【００４０】
シフト制御部３０３は、投射光学系駆動部１３２にレンズシフト調整を実行させる。シフト制御部３０３は、ステッピングモーターの駆動量を算出し、算出した駆動量を含む制御信号を投射光学系駆動部１３２に出力する。
【００４１】
ズーム制御部３０４は、投射光学系駆動部１３２にズーム調整を実行させる。ズーム制御部３０４は、指定された倍率に対応するステッピングモーターの駆動量を算出し、算出した駆動量を含む制御信号を投射光学系駆動部１３２に出力する。
【００４２】
次に、プロジェクター１の動作について説明する。
プロジェクター１は、動作モードとして、通常モードと焼き付き解消モードとを有する。
通常モードは、液晶パネル１２１の表示領域１２１ａの全域に入力画像を表示する通常表示を光変調装置１２が実行させて、投射画像ＴＧをスクリーンＳＣに投射する動作モードである。以下では、液晶パネル１２１の表示領域１２１ａの全域に表示される入力画像を、「全域入力画像」という。全域入力画像ＺＮＧは、本発明の第１の画像に相当する。また、通常表示は、本発明の第１の表示に相当する。
焼き付き解消モードは、処理部３０２が焼き付き解消処理を実行することによって、光変調装置１２の焼き付きを解消する動作モードである。焼き付き解消モードでは、ずらし表示を光変調装置１２に実行させ、投射画像ＴＧをスクリーンＳＣに投射する。ずらし表示とは、全域入力画像ＺＮＧを縮小した縮小入力画像ＳＮＧの中心ＣＣを、液晶パネル１２１の表示領域１２１ａの中心位置ＣＩからずらして、液晶パネル１２１の表示領域１２１ａに縮小入力画像ＳＮＧを表示する表示態様である。なお、本実施形態において「ずらし」とは、液晶パネル１２１の表示領域１２１ａにおける画像の表示位置をある表示位置からある表示位置と異なる他の表示位置に移動させることを意味する。縮小入力画像ＳＮＧは、本発明の第２の画像に相当する。また、ずらし表示は、本発明の第２の表示に相当する。
【００４３】
図２は、プロジェクター１の動作を示すフローチャートである。
図２に示すフローチャートの開始時点では、プロジェクター１の動作モードが通常モードであるとする。
【００４４】
制御部３の処理部３０２は、プロジェクター１の動作モードを通常モードから焼き付き解消モードに移行させるか否かを判別する（ステップＳＡ１）。例えば、処理部３０２は、通常モードに移行してから所定期間経過した場合、プロジェクター１の動作モードを通常モードから焼き付き解消モードに移行すると判別する（ステップＳＡ１：ＹＥＳ）。また、例えば、処理部３０２は、通常モードにおいて同じ投射画像ＴＧを連続して所定期間以上投射した場合に、動作モードを通常モードから焼き付き解消モードに移行すると判別する（ステップＳＡ１：ＹＥＳ）。所定期間は、事前のテストやシミュレーション等によって予め適切に定められている。
【００４５】
処理部３０２は、プロジェクター１の動作モードを通常モードから焼き付き解消モードに移行させると判別した場合（ステップＳＡ１：ＹＥＳ）、プロジェクター１の動作モードを通常モードから焼き付き解消モードに移行させる（ステップＳＡ２）。
【００４６】
次いで、処理部３０２は、投射制御部３０１、シフト制御部３０３、及びズーム制御部３０４によって焼き付き解消処理を実行する（ステップＳＡ３）。
【００４７】
図３は、焼き付き解消処理におけるプロジェクター１の動作を示すフローチャートである。
【００４８】
投射制御部３０１は、焼き付き解消処理の実行回数を記憶部３１から取得する（ステップＳＢ１）。投射制御部３０１は、プロジェクター１が起動している間、焼き付き解消処理の実行回数を累積的にカウントしており、カウントしたカウント値を記憶部３１に記憶させる。
【００４９】
投射制御部３０１は、縮小入力画像ＳＮＧの中心ＣＣを液晶パネル１２１の表示領域１２１ａの中心位置ＣＩからずらす方向であるずらし方向を決定する（ステップＳＢ２）。例えば、記憶部３１は、焼き付き解消処理の実行回数と、ずらし方向を示す情報とが対応付けられた対応情報を記憶する。投射制御部３０１は、記憶部３１が記憶する対応情報を参照して、ステップＳＢ１で取得した実行回数に基づいてずらし方向を決定する。
【００５０】
次いで、投射制御部３０１は、画像処理部２５に、縮小入力画像ＳＮＧを液晶パネル１２１の表示領域１２１ａに表示させる（ステップＳＢ３）。
【００５１】
図４は、縮小入力画像ＳＮＧを説明するための図である。
図４において、符号Ｘ１で示す方向は、液晶パネル１２１の表示領域１２１ａの水平方向を示し、また表示領域１２１ａの左右方向を示す。また、図４において符号Ｙ１で示す方向は、液晶パネル１２１の表示領域１２１ａの垂直方向を示し、また、表示領域１２１ａの上下方向を示す。
【００５２】
投射制御部３０１は、画像処理部２５に、全域入力画像ＺＮＧを所定の縮小率で縮小させる。所定の縮小率は、事前のテストやシミュレーション等によって予め定められている。画像処理部２５は、表示領域１２１ａの中心位置ＣＩを中心として、画像の縦横比を変えずに全域入力画像ＺＮＧを縮小する。これにより、液晶パネル１２１の表示領域１２１ａには、表示領域１２１ａの中心位置ＣＩに中心ＣＣが位置する縮小入力画像ＳＮＧが表示される。
【００５３】
図３を参照して、ステップＳＢ３では、縮小入力画像ＳＮＧの表示と共に、ズーム制御部３０４は、投射光学系駆動部１３２にズーム調整を行わせ、投射画像ＴＧのサイズを調整する（ステップＳＢ３）。
【００５４】
ズーム制御部３０４は、ステップＳＢ３において、光変調装置１２が全域入力画像ＺＮＧを表示しているときの投射画像ＴＧのサイズと、光変調装置１２が縮小入力画像ＳＮＧを表示しているときの投射画像ＴＧのサイズとが同じサイズになるように、投射レンズ１３１Ａに投射画像ＴＧを拡大させる。例えば、投射制御部３０１が画像処理部２５に全域入力画像ＺＮＧを「α」の縮小率で縮小させる場合、ズーム制御部３０４は、全域入力画像ＺＮＧを投射していたときの倍率に「１／α」の倍率を掛け合わせた倍率で投射画像ＴＧを投射するように、投射光学系駆動部１３２にズーム調整を行わせる。このように投射レンズ１３１Ａに投射画像ＴＧを拡大させることで、縮小入力画像ＳＮＧの表示前後において、投射画像ＴＧのサイズが変わることを防止できる。
【００５５】
ステップＳＢ３では、投射制御部３０１は、投射レンズ１３１Ａによる投射画像ＴＧの拡大に同期して、画像処理部２５に全域入力画像ＺＮＧを縮小させる。これにより、全域入力画像ＺＮＧを縮小して縮小入力画像ＳＮＧを光変調装置１２に表示させる際に、投射画像ＴＧのサイズが、全域入力画像ＺＮＧの縮小に応じて変化することを防止できる。そのため、全域入力画像ＺＮＧの縮小時、投射画像ＴＧのサイズ変化に起因した違和感や不快感をユーザーに与えることがない。
【００５６】
次いで、投射制御部３０１は、画像処理部２５によって、縮小入力画像ＳＮＧをステップＳＢ１で決定したずらし方向にずらす（ステップＳＢ４）。
【００５７】
図５は、縮小入力画像ＳＮＧのずらしを説明するための図である。
図５において、符号Ｘ１で示す方向は、図４の符号Ｘ１で示す方向と同じである。また、図５において符号Ｙ１で示す方向は、図４の符号Ｙ１で示す方向と同じである。
【００５８】
図５は、ステップＳＢ１においてずらし方向が、液晶パネル１２１の表示領域１２１ａの右下方向に決定された場合を例示する。
【００５９】
投射制御部３０１は、画像処理部２５に、縮小入力画像ＳＮＧの中心ＣＣを、表示領域１２１ａの中心位置ＣＩから右下方向のずらし位置ＺＩまでずらさせる。画像処理部２５は、縮小入力画像ＳＮＧが表示領域１２１ａの右下寄りに表示されるように、縮小入力画像ＳＮＧの中心ＣＣを表示領域１２１ａの中心位置ＣＩからずらす。ずらし量は、縮小入力画像ＳＮＧが表示領域１２１ａの右下寄りに表示されるように、事前のテストやシミュレーション等によって適切に定められ、ずらし方向と対応付けられている。なお、フレームメモリー２４には液晶パネル１２１の表示領域１２１ａに対応する画像処理用の領域が設けられており、画像処理部２５は、画像処理用の領域において縮小入力画像ＳＮＧの表示位置を変えることで、表示領域１２１ａの右下寄りに縮小入力画像ＳＮＧを表示させる。
【００６０】
以下の説明では、表示領域１２１ａにおいて、表示領域１２１ａの中心位置ＣＩに中心ＣＣが位置する縮小入力画像ＳＮＧの表示位置を、中心表示位置という。中心表示位置は、本発明の第１の位置に相当する。また、表示領域１２１ａにおいて、表示領域１２１ａの中心位置ＣＩからずれたずらし位置ＺＩに中心ＣＣが位置する縮小入力画像ＳＮＧの表示位置を、ずらし表示位置という。ずらし表示位置は、本発明の第２の位置に相当する。
【００６１】
図３を参照して、ステップＳＢ４において、表示領域１２１ａにおいて縮小入力画像ＳＮＧをずらすと共に、シフト制御部３０３は、投射光学系駆動部１３２にレンズシフト調整を行わせ、投射画像ＴＧの位置を調整する（ステップＳＢ３）。
【００６２】
図６は、投射画像ＴＧの投射位置の一例を示す図である。
図６において、符号Ｘ２が示す方向は、スクリーンＳＣの水平方向であり、またスクリーンＳＣの左右方向である。また、図６において、符号Ｙ２が示す方向は、スクリーンＳＣの垂直方向であり、また、スクリーンＳＣの上下方向である。
【００６３】
図６では、液晶パネル１２１の表示領域１２１ａにおいて縮小入力画像ＳＮＧを右下にずらした場合の投射画像ＴＧを例示する。図６では、便宜的に、３つの投射画像ＴＧを投射画像ＴＧ１、ＴＧ２、ＴＧ３として図示している。投射画像ＴＧ１は、中心表示位置に縮小入力画像ＳＮＧを表示しているときの投射画像ＴＧである。投射画像ＴＧ２は、ずらし表示位置に縮小入力画像ＳＮＧを表示しているときの投射画像ＴＧであって、且つ、レンズシフト調整後の投射画像ＴＧである。投射画像ＴＧ３は、ずらし表示位置に縮小入力画像ＳＮＧを表示しているときの投射画像ＴＧであって、且つ、レンズシフト調整前の投射画像ＴＧである。
【００６４】
投射制御部３０１が画像処理部２５に縮小入力画像ＳＮＧの表示位置を、中心表示位置からずらし表示位置にずらすと、図６の投射画像ＴＧ３に示すように、投射画像ＴＧは、スクリーンＳＣの右下方向にずれて投射される。そこで、シフト制御部３０３は、投射画像ＴＧ３の投射位置が投射画像ＴＧ１の投射位置と同じになるように、投射画像ＴＧをスクリーンＳＣの左上方向に移動させる。シフト制御部３０３は、縮小入力画像ＳＮＧのずらし量に対応したステッピングモーターの駆動量を算出し、投射光学系駆動部１３２に、算出した駆動量に基づいてずらし方向と逆方向にレンズシフト調整を行わせる。
【００６５】
このように、シフト制御部３０３が投射光学系駆動部１３２にレンズシフト調整を行わせる。これにより、縮小入力画像ＳＮＧの表示位置を中心表示位置からずらし表示位置に変えた際に、縮小入力画像ＳＮＧの表示位置の変化前後で、スクリーンＳＣにおける投射画像ＴＧの投射位置が変わることを防止できる。
【００６６】
ステップＳＢ４では、投射制御部３０１は、投射レンズ１３１Ａのシフトに同期させて、縮小入力画像ＳＮＧの表示位置を中心表示位置からずらし表示位置に変える。これにより、縮小入力画像ＳＮＧの表示位置を変える際に、投射画像ＴＧの投射位置にずれが発生することを防止できる。そのため、縮小入力画像ＳＮＧの表示位置を変える際に、投射画像ＴＧの投射位置のずれに起因した違和感や不快感をユーザーに与えることがない。
【００６７】
図３を参照して、ステップＳＢ３、ＳＢ４の処理を実行すると、投射制御部３０１は、ずらし表示を光変調装置１２に実行させつつ、レンズシフト調整、及びズーム調整を行った投射画像ＴＧをスクリーンＳＣに投射させる（ステップＳＢ５）。
【００６８】
このように、処理部３０２は、焼き付き解消処理において光変調装置１２にずらし表示を実行させるため、液晶パネル１２１の各画素に対して、通常モード時と異なる駆動電圧を印加できる。そのため、処理部３０２は、液晶分子やイオン不純物の部分的な偏在を解消して光変調装置１２の焼き付きを解消できる。また、焼き付き解消処理では、光変調装置１２が縮小入力画像ＳＮＧを表示しているため、通常モードで投射していた投射画像ＴＧの投射を中断することなく、光変調装置１２の焼き付きを解消できる。また、ずらし表示を行う際、投射画像ＴＧの投射位置がずれないため、ユーザーに投射位置のずれに起因した違和感や不快感を与えることがない。また、縮小入力画像ＳＮＧの表示位置を変えて焼き付き解消処理を実行するため、プロジェクター１は、全域入力画像ＺＮＧの表示するために必要最小限な表示領域１２１ａを有している液晶パネル１２１を具備すればよい。したがって、プロジェクター１のコストアップを抑制できる。
【００６９】
また、投射画像ＴＧのサイズ、及び投射位置を変えることなく、焼き付き解消処理を実行するため、通常モードと焼き付き解消モードとの間でスクリーンＳＣに投射される投射画像ＴＧのサイズ、及び投射位置が変化することない。したがって、投射画像ＴＧが変化することなく、光変調装置１２の焼き付きを解消できる。
【００７０】
図２を参照して、処理部３０２は、焼き付き解消処理を終了するか否かを判別する（ステップＳＡ４）。例えば、焼き付き解消処理を実行する実行時間が予め定められており、焼き付き解消処理を実行してからこの実行時間が経過した場合、処理部３０２は、焼き付き解消処理を終了すると判別する（ステップＳＡ４：ＹＥＳ）。
【００７１】
処理部３０２が焼き付き解消処理を終了すると判別した場合（ステップＳＡ４：ＹＥＳ）、投射制御部３０１は、焼き付き解消処理の実行回数のカウント値を１つインクリメントする（ステップＳＡ５）。
【００７２】
次いで、処理部３０２は、プロジェクター１の動作モードを焼き付き解消モードから通常モードに移行させる（ステップＳＡ６）。移行に際し、処理部３０２は、ずらし表示を終了させて光変調装置１２に通常表示を実行させる。この通常表示させる際に、焼き付き解消処理の実行時と同様に、ズーム調整に同期させて縮小入力画像ＳＮＧを拡大し、また、レンズシフト調整に同期させて、縮小入力画像ＳＮＧの表示位置をずらし表示位置から中心表示位置に戻す。これにより、光変調装置１２の表示態様をずらし表示から通常表示に戻す際、投射画像ＴＧの位置、及び投射画像ＴＧのサイズが変化することを防止できる。そのため、投射画像ＴＧの変化に起因した違和感や不快感をユーザーに与えることなく、動作モードを焼き付き解消モードから通常モードに移行させることができる。
【００７３】
処理部３０２は、処理をステップＳＡ１に戻し、再度、焼き付き解消モードに移行するか否かを判別する。
【００７４】
図７は、複数回、ずらし表示を光変調装置１２が実行する際の縮小入力画像ＳＮＧの表示位置の一例を示す図である。
【００７５】
投射制御部３０１は、光変調装置１２に通常表示とずらし表示とを交互に実行させる。図７に示すように、投射制御部３０１は、焼き付き解消モードに移行してずらし表示を光変調装置１２に実行させる度に、縮小入力画像ＳＮＧのずらし表示位置を異ならせる。図７では、ずらし表示が実行されるたびに、縮小入力画像ＳＮＧが液晶パネル１２１の表示領域１２１ａにおいて、右下寄り→左下寄り→左上寄り→右上寄り→右下寄り・・・となるように、ずらし表示位置を異ならせる。
【００７６】
図７のように、ずらし表示を光変調装置１２に実行させる度に、縮小入力画像ＳＮＧのずらし表示位置を異ならせることで、毎回同じ表示位置に縮小入力画像ＳＮＧが表示されることがなく、効果的に光変調装置１２の焼き付きを解消できる。
【００７７】
以上、説明したように、プロジェクター１は、光源１１、光変調装置１２、及び投射レンズ１３１Ａを有し、光源１１から射出された光を光変調装置１２により変調し、変調した光を投射レンズ１３１Ａを通じて投射することで、スクリーンＳＣに投射画像ＴＧを投射する投射部１０を備える。また、プロジェクター１は、投射レンズ１３１Ａをシフトさせて投射画像ＴＧの投射位置を変える投射光学系駆動部１３２を備える。また、プロジェクター１は、光変調装置１２に表示される全域入力画像ＺＮＧを縮小した縮小入力画像ＳＮＧを、光変調装置１２に表示させる投射制御部３０１を備える。また、プロジェクター１は、投射制御部３０１が光変調装置１２の表示領域１２１ａにおいて縮小入力画像ＳＮＧの表示位置を中心表示位置からずらし表示位置に変える際、中心表示位置に縮小入力画像ＳＮＧを表示したときの投射画像ＴＧの投射位置と、ずらし表示位置に縮小入力画像ＳＮＧを表示したときの投射画像ＴＧの投射位置とが同じになるように投射光学系駆動部１３２を制御するシフト制御部３０３と、を備える。
【００７８】
この構成によれば、光変調装置１２の焼き付きを解消する際に、投射画像ＴＧの投射位置が変化することがない。そのため、投射画像ＴＧの投射位置が変わることに起因した違和感や不快感をユーザーに与えることなく、光変調装置１２の焼き付きを解消できる。また、通常モードで投射していた投射画像ＴＧの投射を中断することなく、光変調装置１２の焼き付きを解消できる。また、縮小入力画像ＳＮＧの表示位置を変えて焼き付き解消処理を実行するため、プロジェクター１は、全域入力画像ＺＮＧの表示するために必要最小限な表示領域１２１ａを有する液晶パネル１２１を具備すればよい。したがって、プロジェクター１のコストアップを抑制しつつ、光変調装置１２の焼き付きを解消できる。
【００７９】
また、投射制御部３０１は、投射レンズ１３１Ａのシフトに同期させて、縮小入力画像ＳＮＧの表示位置を中心表示位置からずらし表示位置に変える。
【００８０】
この構成によれば、縮小入力画像ＳＮＧの表示位置を変える際に、投射画像ＴＧの投射位置が変わることを防止でき、投射画像ＴＧの投射位置が変わることに起因した違和感や不快感をユーザーに与えることがなく、光変調装置１２の焼き付きを解消できる。
【００８１】
また、プロジェクター１は、光変調装置１２が縮小入力画像ＳＮＧを表示したときの投射画像ＴＧのサイズと、光変調装置１２が全域入力画像ＺＮＧを表示したときの投射画像ＴＧのサイズとが同じサイズになるように、投射レンズ１３１Ａに投射画像ＴＧを拡大させるズーム制御部３０４を、備える。
【００８２】
この構成によれば、縮小入力画像ＳＮＧの表示前後において、投射画像ＴＧのサイズが変わることを防止できる。
【００８３】
投射制御部３０１は、ズーム制御部３０４による投射画像ＴＧの拡大に同期させて、全域入力画像ＺＮＧを縮小する。
【００８４】
この構成によれば、全域入力画像ＺＮＧを縮小して縮小入力画像ＳＮＧを光変調装置１２に表示させる際に、投射画像ＴＧのサイズが変化することを防止できる。そのため、投射画像ＴＧのサイズ変化に起因した違和感や不快感をユーザーに与えることがなく、光変調装置１２の焼き付きを解消できる。
【００８５】
投射制御部３０１は、全域入力画像ＺＮＧを表示する通常表示と、縮小入力画像ＳＮＧを表示するずらし表示とを交互に光変調装置１２に実行させる。
【００８６】
この構成によれば、通常表示とずらし表示との間で、投射画像ＴＧが変わることがないため、同じ投射画像ＴＧを投射しながら、光変調装置１２に通常表示とずらし表示とを交互に実行させることができる。
【００８７】
投射制御部３０１は、ずらし表示を実行する度に、ずらし表示位置を異ならせる。
【００８８】
この構成によれば、毎回同じ表示位置に縮小入力画像ＳＮＧが表示されることがないため、効果的に光変調装置１２の焼き付きを解消できる。
【００８９】
投射制御部３０１は、所定時間、通常表示を実行した場合に、光変調装置１２にずらし表示を実行させる。
【００９０】
この構成によれば、自動で光変調装置１２の焼き付きを解消できるため、焼き付き解消処理の実行にユーザーの手間がかかることなく、適切なタイミングで光変調装置１２の焼き付きを解消できる。
【００９１】
投射制御部３０１は、投射部１０が所定時間以上同じ投射画像ＴＧを投射した場合に、ずらし表示を光変調装置１２に実行させる。
【００９２】
この構成によれば、自動で光変調装置１２の焼き付きを解消できるため、焼き付き解消処理の実行にユーザーの手間がかかることなく、適切なタイミングで光変調装置１２の焼き付きを解消できる。
【００９３】
［変形例］
次に、変形例について説明する。
図８は、変形例に係るプロジェクター１の構成を示すブロック図である。
図８の説明において、図１に示すプロジェクター１の構成要素と同様の構成要素については、同一の符号を付し、その詳細な説明を省略する。
【００９４】
図８と図１とを比較して明らかな通り、変形例に係るプロジェクター１は、制御部３がさらに算出部３０５として機能する。
【００９５】
算出部３０５は、画像処理部２５により投射画像ＴＧに台形歪み補正を実行している場合に、投射レンズ１３１Ａがシフトすると、投射レンズ１３１Ａのシフトに応じて台形歪み補正に係るパラメーターを算出する。台形歪み補正に係るパラメーターとしては、例えば、液晶パネル１２１の表示領域１２１ａの座標系からスクリーンＳＣの座標系へ変換する変換パラメーターが例として挙げられる。算出部３０５は、投射レンズ１３１Ａのレンズシフト量、及びシフト方向に基づいて、所定のアルゴリズムにより、台形歪み補正に係るパラメーターを算出する。
【００９６】
図９は、変形例に係るプロジェクター１の動作を示すフローチャートである。図９のフローチャートにおいて、上記実施形態と共通する処理には同じステップ番号を付して説明を省略する。
【００９７】
ステップＳＢ３の処理を実行すると、算出部３０５は、台形歪み補正を実行中であるか否かを判別する（ステップＳＢ１１）。算出部３０５は、台形歪み補正を実行中でないと判別した場合（ステップＳＢ１１：ＮＯ）、ステップＳＢ４の処理を実行する。一方で、算出部３０５は、台形歪み補正を実行中であると判別した場合（ステップＳＢ１１：ＹＥＳ）、投射レンズ１３１Ａのシフトに応じて、逐次、台形歪み補正に係るパラメーターを算出する（ステップＳＢ１２）。また、ステップＳＢ１２において、投射制御部３０１は、算出部３０５が算出する度に、算出された台形歪み補正に係るパラメーターを画像処理部２５に出力して、画像処理部２５に台形歪み補正を実行させる（ステップＳＢ１２）。
【００９８】
台形歪み補正を実行している際に、レンズシフト調整が行われると、投射画像ＴＧの形状が変化する。そこで、算出部３０５が投射レンズ１３１Ａのシフトに応じて台形歪み補正に係るパラメーターを算出することで、レンズシフト調整により投射画像ＴＧの形状が変化することを抑制しつつ、光変調装置１２の焼き付きを解消できる。
【００９９】
上述した各実施形態は、本発明の好適な実施の形態である。ただし、これに限定されるものではなく、本発明の要旨を逸脱しない範囲内において種々の変形実施が可能である。
【０１００】
例えば、上述したプロジェクター１の制御方法が、プロジェクター１が備えるコンピューター、又は、プロジェクター１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。プロジェクター１の制御方法は、本発明の表示装置の制御方法に相当する。
【０１０１】
また、図２、図３、及び図９に示すフローチャートの処理単位は、プロジェクター１の制御部３の処理を理解容易にするために、主な処理内容に応じて分割したものである。図２のフローチャートに示す処理単位の分割の仕方や名称によって本発明が制限されることはない。また、制御部３の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１０２】
また、図１、及び図８に示すプロジェクター１の各機能部とは、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【０１０３】
１…プロジェクター、２…画像供給装置、３…制御部、１０…投射部、１１…光源、１２…光変調装置（電気光学装置）、１３…投射光学部、２１…光源駆動部、２２…光変調装置駆動部、２３…インターフェース、２４…フレームメモリー、２５…画像処理部、２６…バス、３０…ＣＰＵ、３１…記憶部、５０…リモコン、５１…操作部、５２…無線通信部、１２１…液晶パネル、１３１…投射光学系、１３１Ａ…投射レンズ、１３２…投射光学系駆動部（投射位置調整部）、３０１…投射制御部（表示制御部）、３０２…処理部、３０３…シフト制御部（位置制御部）、３０４…ズーム制御部（サイズ制御部）、３０５…算出部、３１１…制御プログラム、３１２…設定データ、５１１…操作パネル、５１２…リモコン受光部、５１３…入力処理部、ＳＣ…スクリーン（投射面）、ＳＮＧ…縮小入力画像（第２の画像）、ＴＧ…投射画像、ＺＮＧ…全域入力画像（第１の画像）。
【図１】
2020020917.tif 000003
【図２】
2020020917.tif 000004
【図３】
2020020917.tif 000005
【図４】
2020020917.tif 000006
【図５】
2020020917.tif 000007
【図６】
2020020917.tif 000008
【図７】
2020020917.tif 000009
【図８】
2020020917.tif 000010
【図９】
2020020917.tif 000011